(57)【特許請求の範囲】
【請求項１】
フィルタ本体の一部に、アレルゲンに反応して着色する試薬を含むアレルゲン検出層が形成されたことを特徴とする集塵フィルタ。
【請求項２】
アレルゲン検出層が、家屋ダニ類、屋内塵（ハウスダスト）、スギ花粉、ブタクサ花粉、ネコ毛皮、イヌ毛皮、カビ類からなる群の１種又は２種以上に由来するアレルゲンに反応して着色する試薬を含むことを特徴とする請求項１に記載の集塵フィルタ。
【請求項３】
アレルゲン検出層が交換可能に形成されたことを特徴とする請求項１に記載の集塵フィルタ。
【請求項４】
それぞれ異なるアレルゲンに反応する複数のアレルゲン検出層が形成されたことを特徴とする請求項１に記載の集塵フィルタ。
【請求項５】
アレルゲン検出層が、アレルゲンに反応して着色する試薬と、水性媒体を包蔵するマイクロカプセルとを含むことを特徴とする請求項１に記載の集塵フィルタ。
【請求項６】
アレルゲン検出層の着色程度を判定するための比色層が添付されたことを特徴とする請求項１に記載の集塵フィルタ。
【請求項７】
空気清浄機、冷房機、暖房機、エアコンディショナー、電気掃除機、換気装置、マスクからなる群の何れかに組込まれたことを特徴とする請求項１に記載の集塵フィルタ。
【発明の詳細な説明】
【０００１】
【発明の属する技術分野】
本発明は、空気清浄機、冷房機、暖房機、エアコンディショナー、電気掃除機、換気装置、マスク等に組込まれたフィルタが集塵した塵の中に含まれているアレルゲンを検出することができる集塵フィルタに関する。
【０００２】
【従来の技術】
小児喘息、アトピー性皮膚炎、花粉症等のアレルギー性疾患は、家屋ダニ類、屋内塵（ハウスダスト）、スギ花粉、ブタクサ花粉、ネコ毛皮、イヌ毛皮、カビ類等、特定のアレルゲンを含むアレルギー性粉塵を吸入することによって起こるとされている。一方、家屋、病院、事務所、学校、保育園、自動車等の生活空間に浮遊する塵は、空気清浄機、冷房機、暖房機、エアコンディショナー、電気掃除機、換気装置、マスク等に組込まれたフィルタ又は集塵層によって集塵除去される。そこでこれらの塵の中に特定のアレルギー性粉塵が含まれているかどうかを知ることはアレルギー性疾患の予防や症状緩和の見地から極めて重要である。
【０００３】
従来、生活空間に浮遊するアレルギー性粉塵を検知するには、例えば集塵機を用いて室内に浮遊する塵を集め、この塵を採取して緩衝液に分散し、この分散液に特定のアレルゲンに反応して発色する試験紙を浸し、その着色程度によって判定する方法が知られている（例えば、シントーファイン社「マイティチェッカー」）。
【０００４】
【発明が解決しようとする課題】
しかし前記の検査方法は、特別な器具や試験紙を必要とし、煩雑であるばかりでなく専門的な知識や技術を要するので、一般家庭等において随時にアレルギー性粉塵を監視するには不適当であった。
本発明は、上記の課題を解決するためになされたものであって、従ってその目的は、アレルギー性粉塵を随時に監視することができる簡便な検知手段を提供することにある。
【０００５】
【課題を解決するための手段】
上記の課題を解決するために本発明は、フィルタの一部に、アレルゲンに反応して着色する試薬を含むアレルゲン検出層が形成された集塵フィルタを提供する。このアレルゲン検出層は、家屋ダニ類、屋内塵（ハウスダスト）、スギ花粉、ブタクサ花粉、ネコ毛皮、イヌ毛皮、カビ類からなる群の１種又は２種以上に由来するアレルゲンに反応して着色する試薬を含むことが好ましい。
前記の集塵フィルタは、アレルゲン検出層が交換可能に形成されていることが好ましい。また前記の集塵フィルタは、それぞれ異なるアレルゲンに反応する複数のアレルゲン検出層が形成されていることが好ましい。
前記のアレルゲン検出層は、アレルゲンに反応して着色する試薬と、水性媒体を包蔵するマイクロカプセルとを含むことが好ましい。
前記の集塵フィルタは、アレルゲン検出層の着色程度を判定するための比色層が添付されていることが好ましい。
前記の集塵フィルタは、空気清浄機、冷房機、暖房機、エアコンディショナー、電気掃除機、換気装置、マスクからなる群の何れかに組込まれたものであることが好ましい。
【０００６】
【発明の実施の形態】
以下、本発明の実施の形態を実施例により図面を用いて説明する。
図１は、空気清浄機に装着して用いられる本発明の集塵フィルタの一実施例を示している。この集塵フィルタは、フィルタ本体１の集塵面の一隅に、アレルゲン試験片１０が、粘着層１１によって貼着されている。
【０００７】
このアレルゲン試験片１０は、粘着層１１の上にアレルゲン検出層１２と比色層１３とが並列されてなり、アレルゲン検出層１２は、粘着層１１の側から順に緩衝液層１５と着色層１４とが積層されてなっている。
【０００８】
着色層１４は、例えばダニアレルゲンに反応して赤色に着色するアレルゲン試薬が濾紙状の層に含浸されてなっている。
緩衝液層１５は、例えばリン酸系緩衝剤と界面活性剤とを含むｐＨ７の緩衝液を包蔵したマイクロカプセル１６が水性バインダーで固定されてなっている。
比色層１３は、着色層１４が所定量のダニアレルゲンと反応して発色したときの色相及び色濃度と同等の固定色に予め着色されている。
【０００９】
この集塵フィルタを空気清浄機に装着し、空気清浄機を作動し、例えば２時間〜６時間運転後に一旦空気清浄機の運転を停止し、集塵フィルタを取り出すか又は露出させ、着色層１４の部分を指の爪又はプラスチック片等で擦ると、緩衝液層１５中のマイクロカプセル１６が破壊し、緩衝液が滲みだして着色層１４を濡らす。このとき、着色層１４はフィルタ本体１の集塵面に装着されているので、集塵フィルタに吸引された塵の一部は着色層１４に付着する。この塵の中にダニアレルゲンが一定レベル以上に含まれていると、着色層１４上で、緩衝液の存在下にアレルゲン試薬とダニアレルゲンとが反応して赤色に発色する。この発色濃度を比色層１３の色と比較すれば、その場所におけるダニアレルゲンの存非とその浮遊濃度とを域値的に検知することができる。
【００１０】
このアレルゲン試験片１０は、一度アレルゲン検出に使用すると再使用はできないが、フィルタ本体１は引き続き集塵の目的に使用することができる。またこのアレルゲン試験片１０は粘着層１１でフィルタ本体１に貼着しているにすぎないので、集塵フィルタ使用中に必要に応じて、新たなアレルゲン試験片と貼り替えれば、同一フィルタ上で随時ダニアレルゲンの検出を繰り返すことができる。
【００１１】
前記の実施例はダニアレルゲンの検出に関するものであるが、ダニアレルゲンに限らず、屋内塵（ハウスダスト）、スギ花粉、ブタクサ花粉、ネコ毛皮、イヌ毛皮、カビ類等のアレルギー原因物質に由来するアレルゲンに対しても、それぞれのアレルゲンに反応して着色するアレルゲン試験片を用いれば、同様にそれぞれのアレルゲンを検出することができる。またこれらのアレルギー原因物質の２種以上が複合したアレルゲンを検出することもできる。これらの各種アレルゲン又は複合アレルゲンと反応して着色する試薬は公知であり、市販もされている。
【００１２】
また、図２に示すように、例えばダニアレルゲンと反応して着色するアレルゲン試験片１０、スギ花粉アレルゲンと反応して着色するアレルゲン試験片２０、カビアレルゲンと反応して着色するアレルゲン試験片３０、等をフィルタ本体１の集塵面に並列して貼着しておけば、着色の有無によってアレルギー疾患に対するアレルゲンをある程度特定することができ、発生源の排除など予防又は症状緩和のための処置を構じることができる。
【００１３】
本発明の集塵フィルタは、室内や自動車等の空気清浄機の他、冷房機、暖房機、エアコンディショナー、電気掃除機、換気装置、マスク等に装着されるフィルタとしても用いることができる。また、これらの装置器具に通常用いられているフィルタに、アレルゲンに反応して着色する試薬を含むアレルゲン検出層を装着したものも本発明に含まれることはいうまでもない。
【００１４】
【発明の効果】
本発明の集塵フィルタは、フィルタの一部に、アレルゲンに反応して着色する試薬を含むアレルゲン検出層が形成されてなるものであるので、これを空気清浄機、冷房機、暖房機、エアコンディショナー、電気掃除機、換気装置、マスク等に適用すれば、生活空間に浮遊する特定のアレルゲンを随時検出することができ、発生源の排除など予防又は症状緩和のための処置を構じることができる。
アレルゲン検出層が交換可能に形成されていれば、フィルタ本体は継続して使用することができ、また随時にアレルゲン検出層を交換することでアレルゲンの検出を繰り返すことができる。
それぞれ異なるアレルゲンに反応する複数のアレルゲン検出層が形成されていれば、その着色の有無によってアレルギー疾患に対するアレルゲンをある程度特定することができ、発生源の排除など予防又は症状緩和のための処置を構じることができる。
アレルゲン検出層の着色程度を判定するための比色層が添付されていれば、アレルゲン検出層の発色濃度を比色層の色と比較することによって、アレルゲンの存非とその浮遊濃度とを域値的に検知することができる。
【図面の簡単な説明】
【図１】  本発明の一実施例を示す斜視図
【図２】  本発明の他の実施例を示す平面図
【符号の説明】
１：フィルタ本体
１０，２０，３０：アレルゲン試験片
１１：粘着層
１２：アレルゲン検出層
１３：比色層
１４：着色層
１５：緩衝液層
１６：マイクロカプセル
【図１】
0003771031.tif 000002
【図２】
0003771031.tif 000003